(57)【要約】      （修正有）【課題】制御が複雑化することを抑制しつつ、ケーブルの種類を判断することが可能な表示装置を提供する。【解決手段】表示装置１０は、第１伝送帯域幅を有する第１ケーブル３０ａ、または、第１伝送帯域幅よりも大きい第２伝送帯域幅を有する第２ケーブル３０ｂにより、再生装置２０と接続される。第１ケーブル３０ａまたは第２ケーブル３０ｂが接続される接続部１１と、再生装置２０からの第２ケーブル３０ｂに対応する映像信号を受信するＨＤＭＩ（登録商標）通信部１２と、ＨＤＭＩ通信部１２により受信した映像信号に関するエラーに基づいて、接続部１１に接続されたケーブル３０の種類を判断する制御部１６と、を備える。【選択図】図１
2019169758.tif 000002
【特許請求の範囲】
【請求項１】
第１伝送帯域幅を有する第１ケーブル、または、前記第１伝送帯域幅よりも大きい第２伝送帯域幅を有する第２ケーブルにより、外部装置と接続される表示装置であって、
前記第１ケーブル、または、前記第２ケーブルが接続される接続部と、
前記外部装置からの前記第２ケーブルに対応する映像信号を受信する通信部と、
前記通信部により受信した前記映像信号に関するエラーに基づいて、前記接続部に接続されたケーブルの種類を判断する表示装置制御部と、を備える、表示装置。
【請求項２】
前記エラーは、デコードに関するエラー、認証に関するエラー、および、一定期間の映像信号の受信に関するエラーのうちの少なくとも１つを含む、請求項１に記載の表示装置。
【請求項３】
前記表示装置制御部は、前記ケーブルの種類が前記第２ケーブルであると判断する場合、設定を前記第２ケーブルに対応する設定に設定するように構成されている、請求項１または２に記載の表示装置。
【請求項４】
表示部を備え、
前記表示装置制御部は、設定を前記第２ケーブルに対応する設定に設定したことを前記表示部に表示する制御を行うように構成されている、請求項３に記載の表示装置。
【請求項５】
前記表示装置制御部は、前記ケーブルの種類が前記第１ケーブルであると判断する場合、設定を前記第１ケーブルに対応する設定に設定するように構成されている、請求項１〜４のいずれか１項に記載の表示装置。
【請求項６】
表示部を備え、
前記表示装置制御部は、設定を前記第１ケーブルに対応する設定に設定したことを前記表示部に表示する制御を行うように構成されている、請求項５に記載の表示装置。
【請求項７】
表示部を備え、
前記表示装置制御部は、前記ケーブルの種類が前記第１ケーブルであると判断する場合、前記ケーブルの交換を前記表示部に表示する制御を行うように構成されている、請求項１〜６のいずれか１項に記載の表示装置。
【請求項８】
前記表示装置制御部は、前記外部装置から送信された映像信号に基づいて、前記外部装置が前記第２ケーブルに対応する映像信号に対応しているか否かを判断するように構成されている、請求項１〜７のいずれか１項に記載の表示装置。
【請求項９】
前記表示装置制御部は、前記外部装置が前記第２ケーブルに対応する映像信号に対応していないと判断する場合、設定を前記第１ケーブルに対応する設定に設定するように構成されている、請求項８に記載の表示装置。
【請求項１０】
前記表示装置制御部は、前記外部装置が前記第２ケーブルに対応する映像信号に対応していると判断し、かつ、前記ケーブルの種類が前記第２ケーブルであると判断する場合、設定を前記第２ケーブルに対応する設定に設定するように構成されている、請求項８または９に記載の表示装置。
【請求項１１】
前記第１ケーブル、および、前記第２ケーブルは、ＨＤＭＩケーブルである、請求項１〜１０のいずれか１項に記載の表示装置。
【請求項１２】
第１伝送帯域幅を有する第１ケーブル、または、前記第１伝送帯域幅よりも大きい第２伝送帯域幅を有する第２ケーブルにより、表示装置と接続される再生装置であって、
前記第１ケーブル、または、前記第２ケーブルが接続される接続部と、
前記表示装置に前記第２ケーブルに対応する映像信号を送信する通信部と、
前記通信部により送信した前記映像信号に関するエラーに基づいて、前記接続部に接続されたケーブルの種類を判断する再生装置制御部と、を備える、再生装置。
【請求項１３】
前記エラーは、デコードに関するエラー、および、認証に関するエラーのうちの少なくとも１つを含む、請求項１２に記載の再生装置。
【請求項１４】
前記再生装置制御部は、前記ケーブルの種類の判断結果を、前記通信部を介して前記表示装置に通知する制御を行うように構成されている、請求項１２または１３に記載の再生装置。
【請求項１５】
前記再生装置制御部は、前記ケーブルの種類が前記第１ケーブルであると判断する場合、前記ケーブルの交換を前記表示装置の表示部に表示させる制御信号を前記通信部を介して前記表示装置に送信する制御を行うように構成されている、請求項１２〜１４のいずれか１項に記載の再生装置。
【請求項１６】
前記再生装置制御部は、前記ケーブルの種類が前記第２ケーブルであると判断する場合、設定の変更を前記表示装置の表示部に表示させる制御信号を前記通信部を介して前記表示装置に送信する制御を行うように構成されている、請求項１２〜１５のいずれか１項に記載の再生装置。
【請求項１７】
前記再生装置制御部は、前記表示装置のＳＣＤＣ情報への書き込みの成否に基づいて、前記表示装置が前記第２ケーブルに対応する映像信号に対応しているか否かを判断するように構成されている、請求項１２〜１６のいずれか１項に記載の再生装置。
【請求項１８】
前記再生装置制御部は、前記表示装置が前記第２ケーブルに対応する映像信号に対応していると判断し、かつ、前記ケーブルの種類が前記第２ケーブルであると判断する場合、設定の変更を前記表示装置の表示部に表示させる制御信号を前記通信部を介して前記表示装置に送信する制御を行うように構成されている、請求項１７に記載の再生装置。
【請求項１９】
前記第１ケーブル、および、前記第２ケーブルは、ＨＤＭＩケーブルである、請求項１２〜１８のいずれか１項に記載の再生装置。
【発明の詳細な説明】
【技術分野】
【０００１】
この発明は、表示装置および再生装置に関する。
【背景技術】
【０００２】
従来、ケーブルにより互いに接続される表示装置と外部装置とが知られている（たとえば、特許文献１参照）。
【０００３】
上記特許文献１には、テレビ受信機などのシンク機器（表示装置）と、ディスクプレーヤなどのＡＶソースとしてのソース機器（外部装置）とを備えるＡＶシステムが開示されている。このシンク機器とソース機器とは、現行ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、または、新ＨＤＭＩに対応するケーブルにより互いに接続される。このＡＶシステムは、シンク機器とソース機器とを互いに接続するケーブルの種類を判断する。具体的には、まず、ソース機器が、シンク機器にテスト信号を送信する。そして、テスト信号を受信したシンク機器が、受信したテスト信号をソース機器に送信する。そして、ソース機器が、シンク機器に送信したテスト信号と、シンク機器から受信したテスト信号との一致を確認する。これにより、このＡＶシステムでは、シンク機器とソース機器とを互いに接続するケーブルの種類を判断する。
【先行技術文献】
【特許文献】
【０００４】
【特許文献１】特開２０１２−７５０６７号公報
【発明の概要】
【発明が解決しようとする課題】
【０００５】
しかしながら、上記特許文献１に記載されたＡＶシステムでは、ケーブルの種類を判断するために、ソース機器とシンク機器との間でテスト信号を送受信する必要があるため、制御が複雑化するという問題点がある。
【０００６】
この発明は、上記のような課題を解決するためになされたものであり、この発明の１つの目的は、制御が複雑化することを抑制しつつ、ケーブルの種類を判断することが可能な表示装置および再生装置を提供することである。
【課題を解決するための手段】
【０００７】
この発明の第１の局面による表示装置は、第１伝送帯域幅を有する第１ケーブル、または、第１伝送帯域幅よりも大きい第２伝送帯域幅を有する第２ケーブルにより、外部装置と接続される表示装置であって、第１ケーブル、または、第２ケーブルが接続される接続部と、外部装置からの第２ケーブルに対応する映像信号を受信する通信部と、通信部により受信した映像信号に関するエラーに基づいて、接続部に接続されたケーブルの種類を判断する表示装置制御部と、を備える。
【０００８】
この発明の第１の局面による表示装置では、上記のように構成することによって、外部装置と表示装置との間でテスト信号を送受信しなくても、接続部に接続されたケーブルの種類を判断することができる。その結果、制御が複雑化することを抑制しつつ、ケーブルの種類を判断することができる。
【０００９】
上記第１の局面による表示装置において、好ましくは、エラーは、デコードに関するエラー、認証に関するエラー、および、一定期間の映像信号の受信に関するエラーのうちの少なくとも１つを含む。このように構成すれば、デコードに関するエラー、認証に関するエラー、または、一定期間の映像信号の受信に関するエラーに基づいて、ケーブルの種類を容易に判断することができる。
【００１０】
上記第１の局面による表示装置において、好ましくは、表示装置制御部は、ケーブルの種類が第２ケーブルであると判断する場合、設定を第２ケーブルに対応する設定に設定するように構成されている。このように構成すれば、接続部に接続されたケーブルの種類が第２ケーブルである場合、設定を第２ケーブルに対応する設定に自動で設定することができる。その結果、ユーザが設定を第２ケーブルに対応する設定に手動で設定する手間を省きつつ、第２ケーブルに対応する映像（高画質映像）を確実に表示することができる。
【００１１】
上記第１の局面による表示装置において、好ましくは、表示部を備え、表示装置制御部は、設定を第２ケーブルに対応する設定に設定したことを表示部に表示する制御を行うように構成されている。このように構成すれば、ユーザは、設定が第２ケーブルに対応する設定に設定された場合、設定が第２ケーブルに対応する設定に設定されたことを知ることができる。その結果、ユーザが設定が第２ケーブルに対応する設定に設定されたことを知らないままになることを抑制することができる。
【００１２】
上記第１の局面による表示装置において、好ましくは、表示装置制御部は、ケーブルの種類が第１ケーブルであると判断する場合、設定を第１ケーブルに対応する設定に設定するように構成されている。このように構成すれば、接続部に接続されたケーブルの種類が第１ケーブルである場合、設定を第１ケーブルに対応する設定に自動で設定することができる。その結果、ユーザが設定を第１ケーブルに対応する設定に手動で設定する手間を省きつつ、第１ケーブルに対応する映像（通常画質映像）を確実に表示することができる。
【００１３】
この場合、好ましくは、表示部を備え、表示装置制御部は、設定を第１ケーブルに対応する設定に設定したことを表示部に表示する制御を行うように構成されている。このように構成すれば、ユーザは、設定が第１ケーブルに対応する設定に設定された場合、設定が第１ケーブルに対応する設定に設定されたことを知ることができる。その結果、ユーザが設定が第１ケーブルに対応する設定に設定されたことを知らないままになることを抑制することができる。
【００１４】
上記第１の局面による表示装置において、好ましくは、表示部を備え、表示装置制御部は、ケーブルの種類が第１ケーブルであると判断する場合、ケーブルの交換を表示部に表示する制御を行うように構成されている。このように構成すれば、接続部に接続されたケーブルの種類が第１ケーブルである場合、ユーザは、第２ケーブルに対応する映像（高画質映像）を表示するために、第１ケーブルから第２ケーブルへのケーブルの交換を要することを知ることができる。
【００１５】
上記第１の局面による表示装置において、好ましくは、表示装置制御部は、外部装置から送信された映像信号に基づいて、外部装置が第２ケーブルに対応する映像信号に対応しているか否かを判断するように構成されている。このように構成すれば、外部装置が第２ケーブルに対応する映像信号に対応しているか否かの判断結果に基づいて、設定を適した設定に設定することができる。その結果、設定が適した設定に設定されていないことに起因して、映像が適切に表示されないことを抑制することができる。
【００１６】
この場合、好ましくは、表示装置制御部は、外部装置が第２ケーブルに対応する映像信号に対応していないと判断する場合、設定を第１ケーブルに対応する設定に設定するように構成されている。このように構成すれば、外部装置が第２ケーブルに対応する映像信号に対応していない場合、設定を第１ケーブルに対応する設定に自動で設定することができる。その結果、ユーザが設定を第１ケーブルに対応する設定に手動で設定する手間を省きつつ、第１ケーブルに対応する映像（通常画質映像）を確実に表示することができる。
【００１７】
上記外部装置が第２ケーブルに対応する映像信号に対応しているか否かを判断する構成において、好ましくは、表示装置制御部は、外部装置が第２ケーブルに対応する映像信号に対応していると判断し、かつ、ケーブルの種類が第２ケーブルであると判断する場合、設定を第２ケーブルに対応する設定に設定するように構成されている。このように構成すれば、外部装置が第２ケーブルに対応する映像信号に対応し、かつ、ケーブルの種類が第２ケーブルである場合、設定を第２ケーブルに対応する設定に自動で設定することができる。その結果、ユーザが設定を第２ケーブルに対応する設定に手動で設定する手間を省きつつ、第２ケーブルに対応する映像（高画質映像）を確実に表示することができる。
【００１８】
上記第１の局面による表示装置において、好ましくは、第１ケーブル、および、第２ケーブルは、ＨＤＭＩケーブルである。
【００１９】
この発明の第２の局面による再生装置は、第１伝送帯域幅を有する第１ケーブル、または、第１伝送帯域幅よりも大きい第２伝送帯域幅を有する第２ケーブルにより、表示装置と接続される再生装置であって、第１ケーブル、または、第２ケーブルが接続される接続部と、表示装置に第２ケーブルに対応する映像信号を送信する通信部と、通信部により送信した映像信号に関するエラーに基づいて、接続部に接続されたケーブルの種類を判断する再生装置制御部と、を備える。
【００２０】
この発明の第２の局面による再生装置では、上記のように構成することによって、上記第１の局面による表示装置と同様に、制御が複雑化することを抑制しつつ、ケーブルの種類を判断することができる。
【００２１】
上記第２の局面による再生装置において、好ましくは、エラーは、デコードに関するエラー、および、認証に関するエラーのうちの少なくとも１つを含む。このように構成すれば、デコードに関するエラー、または、認証に関するエラーに基づいて、ケーブルの種類を容易に判断することができる。
【００２２】
上記第２の局面による再生装置において、好ましくは、再生装置制御部は、ケーブルの種類の判断結果を、通信部を介して表示装置に通知する制御を行うように構成されている。このように構成すれば、ケーブルの種類の判断結果に基づいて、表示装置は、設定を適した設定に設定することができる。その結果、設定が適した設定に設定されていないことに起因して、映像が表示装置に適切に表示されないことを抑制することができる。
【００２３】
上記第２の局面による再生装置において、好ましくは、再生装置制御部は、ケーブルの種類が第１ケーブルであると判断する場合、ケーブルの交換を表示装置の表示部に表示させる制御信号を通信部を介して表示装置に送信する制御を行うように構成されている。このように構成すれば、接続部に接続されたケーブルの種類が第１ケーブルである場合、ユーザは、第２ケーブルに対応する映像（高画質映像）を表示するために、第１ケーブルから第２ケーブルへのケーブルの交換を要することを知ることができる。
【００２４】
上記第２の局面による再生装置において、好ましくは、再生装置制御部は、ケーブルの種類が第２ケーブルであると判断する場合、設定の変更を表示装置の表示部に表示させる制御信号を通信部を介して表示装置に送信する制御を行うように構成されている。このように構成すれば、接続部に接続されたケーブルの種類が第２ケーブルである場合、ユーザは、第２ケーブルに対応する映像（高画質映像）を表示するために、設定の変更を要することを知ることができる。
【００２５】
上記第２の局面による再生装置において、好ましくは、再生装置制御部は、表示装置のＳＣＤＣ情報への書き込みの成否に基づいて、表示装置が第２ケーブルに対応する映像信号に対応しているか否かを判断するように構成されている。このように構成すれば、表示装置が第２ケーブルに対応する映像信号に対応しているか否かの判断結果に基づいて、設定を適した設定に設定することができる。その結果、設定が適した設定に設定されていないことに起因して、映像が適切に表示されないことを抑制することができる。
【００２６】
この場合、好ましくは、再生装置制御部は、表示装置が第２ケーブルに対応する映像信号に対応していると判断し、かつ、ケーブルの種類が第２ケーブルであると判断する場合、設定の変更を表示装置の表示部に表示させる制御信号を通信部を介して表示装置に送信する制御を行うように構成されている。このように構成すれば、表示装置が第２ケーブルに対応する映像信号に対応し、かつ、接続部に接続されたケーブルの種類が第２ケーブルである場合、ユーザは、第２ケーブルに対応する映像（高画質映像）を表示するために、設定の変更を要することを知ることができる。
【００２７】
上記第２の局面による再生装置において、好ましくは、第１ケーブル、および、第２ケーブルは、ＨＤＭＩケーブルである。
【発明の効果】
【００２８】
本発明によれば、上記のように、制御が複雑化することを抑制しつつ、ケーブルの種類を判断することが可能な表示装置および再生装置を提供することができる。
【図面の簡単な説明】
【００２９】
【図１】第１〜第３実施形態によるＡＶシステムを示した図である。
【図２】第１実施形態によるＡＶシステムにおいて、ケーブルに関するテスト中に表示装置に表示される情報を示した図である。
【図３】第１実施形態によるＡＶシステムにおいて、ケーブルに関するテスト結果がＯＫである場合に表示装置に表示される情報を示した図である。
【図４】第１実施形態によるＡＶシステムにおいて、ケーブルに関するテスト結果がＮＧである場合に表示装置に表示される情報を示した図である。
【図５】第１実施形態によるＡＶシステムによるケーブル判断処理の第１の例を説明するためのシーケンス図である。
【図６】第１実施形態によるＡＶシステムによるケーブル判断処理の第２の例を説明するためのシーケンス図である。
【図７】第１実施形態によるＡＶシステムによるケーブル判断処理の第３の例を説明するためのシーケンス図である。
【図８】第１実施形態によるＡＶシステムによるケーブル判断処理の第４の例を説明するためのシーケンス図である。
【図９】第２実施形態によるＡＶシステムによるケーブル、装置判断処理の第１の例を説明するためのシーケンス図である。
【図１０】第２実施形態によるＡＶシステムによるケーブル、装置判断処理の第２の例を説明するためのシーケンス図である。
【図１１】第２実施形態によるＡＶシステムによるケーブル、装置判断処理の第３の例を説明するためのシーケンス図である。
【図１２】第３実施形態によるＡＶシステムにおいて、ケーブル、表示装置が共に高画質映像に対応する場合に表示装置に表示される情報を示した図である。
【図１３】第３実施形態によるＡＶシステムにおいて、表示装置が高画質映像に対応で、かつ、ケーブルが高画質映像に非対応である場合に表示装置に表示される情報を示した図である。
【図１４】第３実施形態によるＡＶシステムにおいて、表示装置が高画質映像に非対応である場合に表示装置に表示される情報を示した図である。
【図１５】第３実施形態によるＡＶシステムによるケーブル、装置判断処理の第１の例を説明するためのシーケンス図である。
【図１６】第３実施形態によるＡＶシステムによるケーブル、装置判断処理の第２の例を説明するためのシーケンス図である。
【図１７】第３実施形態によるＡＶシステムによるケーブル、装置判断処理の第３の例を説明するためのシーケンス図である。
【発明を実施するための形態】
【００３０】
以下、本発明を具体化した実施形態を図面に基づいて説明する。
【００３１】
［第１実施形態］
図１〜図４を参照して、第１実施形態によるＡＶ（Ａｕｄｉｏ  Ｖｉｓｕａｌ）システム１００の構成について説明する。
【００３２】
第１実施形態によるＡＶシステム１００は、図１に示すように、表示装置１０（シンク機器）と、再生装置２０（ソース機器）とを備える。表示装置１０と再生装置２０とは、通信用のケーブル３０により互いに接続されている。ケーブル３０は、第１伝送帯域幅（たとえば、３４０ＭＨｚ（伝送速度が１０．２Ｇｂｐｓ））を有する第１ケーブル３０ａ、または、第１伝送帯域幅よりも大きい第２伝送帯域幅（たとえば、６００ＭＨｚ（伝送速度が１８Ｇｂｐｓ））を有する第２ケーブル３０ｂを含む。表示装置１０と再生装置２０とは、第１ケーブル３０ａ、または、第２ケーブル３０ｂにより互いに接続されている。ケーブル３０（第１ケーブル３０ａおよび第２ケーブル３０ｂ）は、ＨＤＭＩケーブルである。なお、再生装置２０は、特許請求の範囲の「外部装置」の一例である。
【００３３】
表示装置１０は、第１ケーブル３０ａに対応する通常画質設定（互換性優先設定）と、第２ケーブル３０ｂに対応する高画質設定（高速信号優先設定）とに、映像に関する設定を設定可能に構成されている。通常画質設定は、第１ケーブル３０ａに対応する通常画質映像の映像信号のための設定である。高画質設定は、第２ケーブル３０ｂに対応する高画質映像の映像信号のための設定である。高画質映像の映像信号は、第１ケーブル３０ａが伝送可能なデータ量よりも大きいデータ量を有する。
【００３４】
表示装置１０は、映像信号および音声信号を含むコンテンツの映像を表示可能な装置であり、ケーブル３０を介して、コンテンツを再生装置２０から受信可能に構成されている。表示装置１０は、接続部１１と、ＨＤＭＩ通信部１２と、操作部１３と、記憶部１４と、表示部１５と、制御部１６とを含む。接続部１１は、ケーブル３０の一端が接続されるように構成されている。ＨＤＭＩ通信部１２は、ＨＤＭＩに関する通信を行う。ＨＤＭＩ通信部１２は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報と、ＳＣＤＣ（Ｓｔａｔｕｓ  ａｎｄ  Ｃｏｎｔｒｏｌ  Ｄａｔａ  Ｃｈａｎｎｅｌ）情報とを有する。ＥＤＩＤ情報は、表示装置１０がサポートしている映像および音声に関する情報である。ＥＤＩＤ情報は、通常画質設定が設定されている場合、通常画質設定用に設定される。また、ＥＤＩＤ情報は、高画質設定が設定されている場合、高画質設定用に設定される。ＳＣＤＣ情報は、第１ケーブル３０ａに対応する伝送速度（たとえば、１０．２Ｇｂｐｓ）を越えた映像をサポートするための補助的な情報である。操作部１３は、リモコンを含み、ユーザの操作を受け付ける。記憶部１４は、通常画質設定、高画質設定などの情報を記憶する。表示部１５は、たとえば液晶パネルであり、情報を表示する。制御部１６は、表示装置１０の動作を制御する制御回路であり、ＣＰＵなどのプロセッサと、メモリとを有する。なお、ＨＤＭＩ通信部１２は、特許請求の範囲の「表示装置」の「通信部」である。また、制御部１６は、特許請求の範囲の「表示装置制御部」の一例である。
【００３５】
再生装置２０は、記録媒体に記録された映像信号および音声信号を含むコンテンツを再生可能な装置であり、ケーブル３０を介して、コンテンツを表示装置１０に送信可能に構成されている。再生装置２０は、接続部２１と、ＨＤＭＩ通信部２２と、操作部２３と、記憶部２４と、制御部２５とを含む。接続部２１は、ケーブル３０の他端が接続されるように構成されている。ＨＤＭＩ通信部２２は、ＨＤＭＩに関する通信を行う。操作部２３は、リモコンを含み、ユーザの操作を受け付ける。記憶部２４は、情報を記憶する。制御部２５は、再生装置２０の動作を制御する制御回路であり、ＣＰＵなどのプロセッサと、メモリとを有する。なお、ＨＤＭＩ通信部２２は、特許請求の範囲の「再生装置」の「通信部」である。また、制御部２５は、特許請求の範囲の「再生装置制御部」の一例である。
【００３６】
（ケーブルの種類の判断）
ここで、ＡＶシステム１００は、表示装置１０と再生装置２０とを接続するケーブル３０の種類を判断するように構成されている。具体的には、ＡＶシステム１００は、表示装置１０から再生装置２０に、テスト開始を要求するＣＥＣ（Ｃｏｎｓｕｍｅｒ  Ｅｌｅｃｔｒｏｎｉｃｓ  Ｃｏｎｔｒｏｌ）のベンダーコマンドを送信することにより、ケーブル３０の種類を判断するテストを開始する。テスト開始を要求するＣＥＣのベンダーコマンドを受信した再生装置２０は、自機と表示装置１０とを接続するケーブル３０を介して、高画質映像の映像信号（テスト信号）を表示装置１０に送信する。テスト信号は、たとえば、黒画面の映像信号である。
【００３７】
〈表示装置がケーブルの種類を判断する場合〉
ここで、第１実施形態では、表示装置１０の制御部１６は、再生装置２０から高画質映像の映像信号（テスト信号）を受信するとともに、受信した高画質映像の映像信号に関するエラーに基づいて、接続部１１に接続されたケーブル３０の種類を判断する。ケーブル３０が第１ケーブル３０ａである場合、第１ケーブル３０ａでは高画質映像の映像信号を問題なく伝送することができないことに起因して、高画質映像の映像信号に関するエラーが生じるためである。高画質映像の映像信号に関するエラーは、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）デコードに関するエラー、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）認証に関するエラー、または、一定期間の映像信号の受信に関するエラーである。これらのエラーのうちの少なくとも１つのエラーに基づいて、表示装置１０の制御部１６は、接続部１１に接続されたケーブル３０の種類を判断する。
【００３８】
ＴＭＤＳデコードに関するエラーに基づいて、接続部１１に接続されたケーブル３０の種類を判断する場合、表示装置１０の制御部１６は、ＴＭＤＳ  Ｃｈａｒａｃｔｏｒ  Ｅｒｒｏｒの数に基づいて、接続部１１に接続されたケーブル３０の種類を判断する。具体的には、まず、表示装置１０の制御部１６は、再生装置２０から高画質映像の映像信号を受信した後、予め決められた一定期間（たとえば、５秒）、受信した高画質映像の映像信号に関するＴＭＤＳ  Ｃｈａｒａｃｔｏｒ  Ｅｒｒｏｒの数を確認する。そして、表示装置１０の制御部１６は、確認した一定期間の間においてＴＭＤＳ  Ｃｈａｒａｃｔｏｒ  Ｅｒｒｏｒの数が予め決められたしきい値（たとえば、５秒間で１０回）未満である場合、ケーブル３０の種類が第２ケーブル３０ｂであると判断する。この場合、高画質映像の映像信号が問題なく伝送できたと判断できるためである。また、表示装置１０の制御部１６は、確認した一定期間の間においてＴＭＤＳ  Ｃｈａｒａｃｔｏｒ  Ｅｒｒｏｒの数が予め決められたしきい値以上である場合、ケーブル３０の種類が第１ケーブル３０ａであると判断する。この場合、高画質映像の映像信号が問題なく伝送できなかったと判断できるためである。
【００３９】
また、ＨＤＣＰ認証に関するエラーに基づいて、接続部１１に接続されたケーブル３０の種類を判断する場合、表示装置１０の制御部１６は、ＨＤＣＰ認証のやり直しに基づいて、接続部１１に接続されたケーブル３０の種類を判断する。具体的には、まず、表示装置１０の制御部１６は、再生装置２０から高画質映像の映像信号を受信した後、予め決められた一定期間（たとえば、１０秒）、受信した高画質映像の映像信号に関するＨＤＣＰ認証のやり直しの有無を確認する。そして、表示装置１０の制御部１６は、確認した一定期間の間においてＨＤＣＰ認証のやり直しがない場合、ケーブル３０の種類が第２ケーブル３０ｂであると判断する。この場合、高画質映像の映像信号が問題なく伝送できたと判断できるためである。また、表示装置１０の制御部１６は、確認した一定期間の間においてＨＤＣＰ認証のやり直しがある場合、ケーブル３０の種類が第１ケーブル３０ａであると判断する。この場合、高画質映像の映像信号が問題なく伝送できなかったと判断できるためである。
【００４０】
また、一定期間の映像信号の受信に関するエラーに基づいて、接続部１１に接続されたケーブル３０の種類を判断する場合、表示装置１０の制御部１６は、一定期間の映像信号の継続した受信の有無に基づいて、接続部１１に接続されたケーブル３０の種類を判断する。具体的には、まず、表示装置１０の制御部１６は、再生装置２０から高画質映像の映像信号を受信した後、予め決められた一定期間（たとえば、１０秒）、受信した高画質映像の映像信号の継続した受信の有無を確認する。そして、表示装置１０の制御部１６は、確認した一定期間の間において継続して途切れることなく高画質映像の映像信号を受信している場合、ケーブル３０の種類が第２ケーブル３０ｂであると判断する。この場合、高画質映像の映像信号が問題なく伝送できたと判断できるためである。また、表示装置１０の制御部１６は、確認した一定期間の間において高画質映像の映像信号の受信が途切れている場合、ケーブル３０の種類が第１ケーブル３０ａであると判断する。この場合、高画質映像の映像信号が問題なく伝送できなかったと判断できるためである。
【００４１】
また、図２に示すように、表示装置１０の制御部１６は、ケーブル３０の種類を判断するテスト中に、テスト中であることを表示部１５に表示する制御を行う。これにより、テスト中であることを知ることができるので、ユーザが不安になることを抑制可能である。この際、表示装置１０の制御部１６は、ケーブル３０の種類を判断するテストの進捗度を表示部１５に表示する制御を行う。また、第１実施形態では、表示装置１０の制御部１６は、ケーブル３０の種類が第２ケーブル３０ｂであると判断する場合、設定を高画質設定に設定する。また、図３に示すように、表示装置１０の制御部１６は、設定を高画質設定に設定した場合、設定を高画質設定に設定したことを表示部１５に表示する制御を行う。同様に、表示装置１０の制御部１６は、ケーブル３０の種類が第１ケーブル３０ａであると判断する場合、設定を通常画質設定に設定する。また、図４に示すように、表示装置１０の制御部１６は、設定を通常画質設定に設定した場合、設定を通常画質設定に設定したことを表示部１５に表示する制御を行う。また、表示装置１０の制御部１６は、ケーブル３０の種類が第１ケーブル３０ａであると判断する場合、第１ケーブル３０ａから第２ケーブル３０ｂへのケーブル３０の交換を表示部１５に表示する制御を行う。この際、表示装置１０の制御部１６は、推奨する第２ケーブル３０ｂを表示部１５に表示する制御を行う。表示部１５への各種の情報の表示は、たとえば、ＯＳＤ（Ｏｎ  Ｓｃｒｅｅｎ  Ｄｉｓｐｌａｙ）により行われる。
【００４２】
また、表示装置１０の制御部１６は、ケーブル３０の最初の接続時に、ケーブルの種類を判断するテストを行う。また、表示装置１０の制御部１６は、表示装置１０の電源ＯＦＦ中に、定期的に、ケーブルの種類を判断するテストを行う。
【００４３】
（再生装置がケーブルの種類を判断する場合）
ここで、第１実施形態では、再生装置２０の制御部２５は、表示装置１０に高画質映像の映像信号（テスト信号）を送信するとともに、送信した高画質映像の映像信号に関するエラーに基づいて、接続部１１に接続されたケーブル３０の種類を判断する。ケーブル３０が第１ケーブル３０ａである場合、第１ケーブル３０ａでは高画質映像の映像信号を問題なく伝送することができないことに起因して、表示装置１０において高画質映像の映像信号に関するエラーが生じるためである。高画質映像の映像信号に関するエラーは、ＴＭＤＳデコードに関するエラー、または、ＨＤＣＰ認証に関するエラーである。これらのエラーのうちの少なくとも１つのエラーに基づいて、再生装置２０の制御部２５は、接続部２１に接続されたケーブル３０の種類を判断する。
【００４４】
ＴＭＤＳデコードに関するエラーに基づいて、接続部２１に接続されたケーブル３０の種類を判断する場合、再生装置２０の制御部２５は、ＴＭＤＳデコードの成否、および、ＴＭＤＳ  Ｃｈａｒａｃｔｏｒ  Ｅｒｒｏｒの数に基づいて、接続部２１に接続されたケーブル３０の種類を判断する。具体的には、まず、再生装置２０の制御部２５は、再生装置２０から高画質映像の映像信号を受信した後、予め決められた一定期間（たとえば、５秒）、受信した高画質映像の映像信号に関する、ＴＭＤＳデコードの成否、および、ＴＭＤＳ  Ｃｈａｒａｃｔｏｒ  Ｅｒｒｏｒの数を確認する。そして、再生装置２０の制御部２５は、確認した一定期間の間において、ＴＭＤＳデコードに成功し、かつ、ＴＭＤＳ  Ｃｈａｒａｃｔｏｒ  Ｅｒｒｏｒの数が予め決められたしきい値（たとえば、５秒間で１０回）未満である場合、ケーブル３０の種類が第２ケーブル３０ｂであると判断する。この場合、高画質映像の映像信号が問題なく伝送できたと判断できるためである。また、再生装置２０の制御部２５は、確認した一定期間の間において、ＴＭＤＳデコードに失敗している場合、または、ＴＭＤＳ  Ｃｈａｒａｃｔｏｒ  Ｅｒｒｏｒの数が予め決められたしきい値以上である場合、ケーブル３０の種類が第１ケーブル３０ａであると判断する。この場合、高画質映像の映像信号が問題なく伝送できなかったと判断できるためである。
【００４５】
なお、ＴＭＤＳ  Ｃｈａｒａｃｔｏｒ  Ｅｒｒｏｒの割合が１／１００００よりも小さい場合、表示装置１０の制御部１６は、ＴＭＤＳデコードに成功したと判断する。また、ＴＭＤＳ  Ｃｈａｒａｃｔｏｒ  Ｅｒｒｏｒの割合が１／１００００以上になる場合、表示装置１０の制御部１６は、ＴＭＤＳデコードに失敗したと判断する。また、ＴＭＤＳデコードに成功した後であっても、ＴＭＤＳ  Ｃｈａｒａｃｔｏｒ  Ｅｒｒｏｒの割合が１／１００００以上になる場合には、表示装置１０の制御部１６は、ＴＭＤＳデコードに失敗したと判断する。ＴＭＤＳデコードの成否は、ＳＣＤＣ情報に書き込まれる。また、表示装置１０の制御部１６は、ＴＭＤＳデコードに成功したと判断した後、ＳＣＤＣ情報にＴＭＤＳ  Ｃｈａｒａｃｔｏｒ  Ｅｒｒｏｒの数の書込みを開始する。再生装置２０の制御部２５は、表示装置１０のＳＣＤＣ情報に基づいて、ＴＭＤＳの成否、および、ＴＭＤＳ  Ｃｈａｒａｃｔｏｒ  Ｅｒｒｏｒの数を取得可能である。
【００４６】
また、ＴＭＤＳデコードに成功したと判断した後でなければ、ＳＣＤＣ情報にＴＭＤＳ  Ｃｈａｒａｃｔｏｒ  Ｅｒｒｏｒの数の書込みが開始されないため、ＴＭＤＳデコードに失敗し続ける場合、ＴＭＤＳ  Ｃｈａｒａｃｔｏｒ  Ｅｒｒｏｒの数がカウントされない。このため、ＴＭＤＳ  Ｃｈａｒａｃｔｏｒ  Ｅｒｒｏｒの数だけでは、接続部２１に接続されたケーブル３０の種類の判断を誤る場合があると考えられる。そこで、上記のように、ＴＭＤＳ  Ｃｈａｒａｃｔｏｒ  Ｅｒｒｏｒの数だけでなく、ＴＭＤＳデコードの成否にも基づいて、接続部２１に接続されたケーブル３０の種類を判断する。これにより、より精度良くケーブル３０の種類を判断可能である。
【００４７】
また、ＨＤＣＰ認証に関するエラーに基づいて、接続部２１に接続されたケーブル３０の種類を判断する場合、再生装置２０の制御部２５は、ＨＤＣＰ認証の成否に基づいて、接続部２１に接続されたケーブル３０の種類を判断する。具体的には、まず、再生装置２０の制御部２５は、再生装置２０から高画質映像の映像信号を受信した後、予め決められた一定期間（たとえば、１０秒）、受信した高画質映像の映像信号に関するＨＤＣＰ認証の成否を確認する。そして、再生装置２０の制御部２５は、確認した一定期間の間においてＨＤＣＰ認証が成功している場合、ケーブル３０の種類が第２ケーブル３０ｂであると判断する。この場合、高画質映像の映像信号が問題なく伝送できたと判断できるためである。また、再生装置２０の制御部２５は、確認した一定期間の間においてＨＤＣＰ認証が失敗している場合、ケーブル３０の種類が第１ケーブル３０ａであると判断する。この場合、高画質映像の映像信号が問題なく伝送できなかったと判断できるためである。
【００４８】
また、再生装置２０の制御部２５は、ケーブル３０の種類の判断結果を、表示装置１０に通知する制御を行う。表示装置１０の制御部１６は、再生装置２０から通知されたケーブル３０の種類の判断結果に基づいて、設定を通常画質設定、または、高画質設定に設定する。具体的には、表示装置１０の制御部１６は、再生装置２０からケーブル３０の種類が第２ケーブル３０ｂであるという判断結果が通知された場合、設定を高画質設定に設定する。また、表示装置１０の制御部１６は、再生装置２０からケーブル３０の種類が第１ケーブル３０ａであるという判断結果が通知された場合、設定を通常画質設定に設定する。また、図４に示すように、再生装置２０の制御部２５は、ケーブル３０の種類が第１ケーブル３０ａであると判断する場合、第１ケーブル３０ａから第２ケーブル３０ｂへのケーブル３０の交換を表示装置１０の表示部１５に表示させる制御信号をＨＤＭＩ通信部２２を介して表示装置１０に送信する制御を行う。この際、再生装置２０の制御部２５は、推奨する第２ケーブル３０ｂを表示装置１０の表示部１５に表示させる制御信号をＨＤＭＩ通信部２２を介して表示装置１０に送信する制御を行う。表示装置１０の表示部１５への各種の情報の表示は、たとえば、ＯＳＤ（Ｏｎ  Ｓｃｒｅｅｎ  Ｄｉｓｐｌａｙ）により行われる。
【００４９】
また、再生装置２０の制御部２５は、ケーブル３０の最初の接続時に、ケーブルの種類を判断するテストを行う。また、再生装置２０の制御部２５は、表示装置１０の電源ＯＦＦ中に、定期的に、ケーブルの種類を判断するテストを行う。
【００５０】
（ケーブル判断処理の第１の例）
次に、図５を参照して、第１実施形態のＡＶシステム１００によるケーブル判断処理の第１の例をシーケンス図に基づいて説明する。第１の例では、再生装置２０がケーブル３０の種類が第２ケーブル３０ｂであると判断する場合について説明する。なお、表示装置１０の各処理は、表示装置１０の制御部１６により行われる。また、再生装置２０の各処理は、再生装置２０の制御部２５により行われる。
【００５１】
図５に示すように、まず、ステップＳ１において、ケーブル３０の最初の接続時に、表示装置１０により、ケーブル３０のＨｏｔＰｌｕｇ端子のＨｉｇｈが検出される。
【００５２】
そして、ステップＳ２において、表示装置１０により、再生装置２０にＥＤＩＤ情報が送信される。また、ステップＳ２では、再生装置２０により、ＥＤＩＤ情報が取得される。
【００５３】
そして、ステップＳ３において、表示装置１０により、ＣＥＣのＤｅｖｉｃｅ  Ｎａｍｅ  Ｔｒａｎｓｆｅｒ機能を用いて、再生装置２０にデバイス名が要求される。
【００５４】
そして、ステップＳ４において、再生装置２０により、ＣＥＣを用いて、表示装置１０にデバイス名が応答される。
【００５５】
そして、ステップＳ５において、表示装置１０により、応答されたデバイス名が記憶部１４に記憶されたデバイス名と異なると判断されて、デバイス名が記憶部１４に記憶される。
【００５６】
なお、ステップＳ５において、表示装置１０により応答されたデイバス名が記憶部１４に記憶されたデバイス名と同じであると判断される場合、以後の処理が行われない。既にケーブル３０の種類を判断したデバイスであると判断されるためである。
【００５７】
そして、ステップＳ６において、表示装置１０により、ＣＥＣのベンダーコマンドを用いて、再生装置２０に、高画質映像の映像信号（テスト信号）を送信するように、ケーブル３０の種類を判断するテストの開始が要求される。
【００５８】
そして、ステップＳ７において、再生装置２０により、ＣＥＣのベンダーコマンドを用いて、表示装置１０に、ケーブル３０の種類を判断するテストの開始をしてもよいことが応答される。
【００５９】
そして、ステップＳ８において、表示装置１０により、ケーブル３０の種類を判断するテスト中であることが表示部１５に表示される（図２参照）。
【００６０】
そして、ステップＳ９において、再生装置２０により、表示装置１０に高画質映像の映像信号が送信される。
【００６１】
そして、ステップＳ１０において、再生装置２０により、ＨＤＣＰ認証が開始される。
【００６２】
そして、ステップＳ１１において、再生装置２０により、ＨＤＣＰ認証処理が行われる。
【００６３】
そして、図５に示すケーブル判断処理の第１の例では、ステップＳ１２において、再生装置２０により、高画質映像の映像信号を問題なく伝送することができたと判断される。
【００６４】
たとえば、ステップＳ１２では、再生装置２０により、予め決められた一定期間の間において、ＴＭＤＳデコードに成功し、かつ、ＴＭＤＳ  Ｃｈａｒａｃｔｏｒ  Ｅｒｒｏｒの数が予め決められたしきい値未満であると判断される。
【００６５】
また、たとえば、ステップＳ１２では、再生装置２０により、予め決められた一定期間の間においてＨＤＣＰ認証が成功していると判断される。
【００６６】
そして、ステップＳ１３において、再生装置２０により、ケーブル３０が第２ケーブル３０ｂであると判断される。
【００６７】
そして、ステップＳ１４において、再生装置２０により、ＣＥＣのベンダーコマンドを用いて、表示装置１０にケーブル３０が第２ケーブル３０ｂであるという判断結果が通知される。
【００６８】
そして、ステップＳ１５において、表示装置１０により、設定が高画質設定に設定される。ステップＳ１５では、表示装置１０により、ＥＤＩＤ情報も高画質設定用に設定される。
【００６９】
そして、ステップＳ１６において、表示装置１０により、ケーブル３０のＨｏｔＰｌｕｇ端子がＨｉｇｈからＬｏｗに変更された後、ＬｏｗからＨｉｇｈに変更される。
【００７０】
そして、ステップＳ１７において、表示装置１０により、再生装置２０にＥＤＩＤ情報が送信される。また、ステップＳ１７では、再生装置２０により、高画質設定用に設定されたＥＤＩＤ情報が取得される。
【００７１】
そして、ステップＳ１８において、再生装置２０により、取得されたＥＤＩＤ情報（高画質設定用に設定されたＥＤＩＤ情報）に基づいて、表示装置１０に高画質映像の映像信号が送信される。
【００７２】
そして、ステップＳ１９において、表示装置１０により、設定を高画質設定に設定したことが表示部１５に表示される（図３参照）。
【００７３】
（ケーブル判断処理の第２の例）
次に、図６を参照して、第１実施形態のＡＶシステム１００によるケーブル判断処理の第２の例をシーケンス図に基づいて説明する。第２の例では、再生装置２０がケーブル３０の種類が第２ケーブル３０ｂではない（第１ケーブル３０ａである）と判断する場合について説明する。なお、ケーブル判断処理の第１の例と同様の処理については、図中において同じ符号を付して図示し、詳細な説明を省略する。また、表示装置１０の各処理は、表示装置１０の制御部１６により行われる。また、再生装置２０の各処理は、再生装置２０の制御部２５により行われる。
【００７４】
図６に示すように、まず、ステップＳ１〜Ｓ１１において、ケーブル判断処理の第１の例と同様の処理が行われる。
【００７５】
そして、図６に示すケーブル判断処理の第２の例では、ステップＳ１２ａにおいて、再生装置２０により、高画質映像の映像信号を問題なく伝送することができなかったと判断される。
【００７６】
たとえば、ステップＳ１２ａでは、再生装置２０により、予め決められた一定期間の間において、ＴＭＤＳデコードに失敗している、または、ＴＭＤＳ  Ｃｈａｒａｃｔｏｒ  Ｅｒｒｏｒの数が予め決められたしきい値以上であると判断される。
【００７７】
また、たとえば、ステップＳ１２ａでは、再生装置２０により、予め決められた一定期間の間においてＨＤＣＰ認証が失敗していると判断される。
【００７８】
そして、ステップＳ１３ａにおいて、再生装置２０により、ケーブル３０が第２ケーブル３０ｂではない（第１ケーブル３０ａである）と判断される。
【００７９】
そして、ステップＳ１４ａにおいて、再生装置２０により、ＣＥＣのベンダーコマンドを用いて、表示装置１０にケーブル３０が第２ケーブル３０ｂではない（第１ケーブル３０ａである）という判断結果が通知される。
【００８０】
そして、ステップＳ１５ａにおいて、表示装置１０により、設定が通常画質設定に設定される。ステップＳ１５ａでは、表示装置１０により、ＥＤＩＤ情報も通常画質設定用に設定される。
【００８１】
そして、ステップＳ１６およびＳ１７において、ケーブル判断処理の第１の例と同様の処理が行われる。なお、ステップＳ１７では、再生装置２０により、通常画質設定用に設定されたＥＤＩＤ情報が取得される。
【００８２】
そして、ステップＳ１８ａにおいて、再生装置２０により、取得されたＥＤＩＤ情報（通常画質設定用に設定されたＥＤＩＤ情報）に基づいて、表示装置１０に高画質映像以外の映像の映像信号（通常画質映像の映像信号）が送信される。
【００８３】
そして、ステップＳ１９ａにおいて、表示装置１０により、設定を通常画質設定に設定したこと、および、第１ケーブル３０ａから第２ケーブル３０ｂへのケーブル３０の交換が表示部１５に表示される（図４参照）。
【００８４】
（ケーブル判断処理の第３の例）
次に、図７を参照して、第１実施形態のＡＶシステム１００によるケーブル判断処理の第３の例をシーケンス図に基づいて説明する。第３の例では、表示装置１０がケーブル３０の種類が第２ケーブル３０ｂであると判断する場合について説明する。なお、ケーブル判断処理の第１の例と同様の処理については、図中において同じ符号を付して図示し、詳細な説明を省略する。また、表示装置１０の各処理は、表示装置１０の制御部１６により行われる。また、再生装置２０の各処理は、再生装置２０の制御部２５により行われる。
【００８５】
図７に示すように、まず、ステップＳ１〜Ｓ１１において、ケーブル判断処理の第１の例と同様の処理が行われる。
【００８６】
そして、図７に示すケーブル判断処理の第３の例では、ステップＳ１２ｂにおいて、表示装置１０により、高画質映像の映像信号を問題なく伝送することができたと判断される。
【００８７】
たとえば、ステップＳ１２ｂでは、表示装置１０により、予め決められた一定期間の間においてＴＭＤＳ  Ｃｈａｒａｃｔｏｒ  Ｅｒｒｏｒの数が予め決められたしきい値未満であると判断される。
【００８８】
また、たとえば、ステップＳ１２ｂでは、表示装置１０により、予め決められた一定期間の間においてＨＤＣＰ認証のやり直しがないと判断される。
【００８９】
また、たとえば、ステップＳ１２ｂでは、表示装置１０により、予め決められた一定期間の間において継続して途切れることなく高画質映像の映像信号を受信していると判断される。
【００９０】
そして、ステップＳ１３ｂにおいて、表示装置１０により、ケーブル３０が第２ケーブル３０ｂであると判断される。
【００９１】
そして、ステップＳ１４ｂにおいて、表示装置１０により、ＣＥＣのベンダーコマンドを用いて、再生装置２０にケーブル３０が第２ケーブル３０ｂであるという判断結果が通知される。
【００９２】
そして、ステップＳ１５〜Ｓ１９において、ケーブル判断処理の第１の例と同様の処理が行われる。
【００９３】
（ケーブル判断処理の第４の例）
次に、図８を参照して、第１実施形態のＡＶシステム１００によるケーブル判断処理の第４の例をシーケンス図に基づいて説明する。第４の例では、表示装置１０がケーブル３０の種類が第２ケーブル３０ｂではない（第１ケーブル３０ａである）と判断する場合について説明する。なお、ケーブル判断処理の第１の例と同様の処理については、図中において同じ符号を付して図示し、詳細な説明を省略する。また、表示装置１０の各処理は、表示装置１０の制御部１６により行われる。また、再生装置２０の各処理は、再生装置２０の制御部２５により行われる。
【００９４】
図８に示すように、まず、ステップＳ１〜Ｓ１１において、ケーブル判断処理の第１の例と同様の処理が行われる。
【００９５】
そして、図８に示すケーブル判断処理の第４の例では、ステップＳ１２ｃにおいて、表示装置１０により、高画質映像の映像信号を問題なく伝送することができなかったと判断される。
【００９６】
たとえば、ステップＳ１２ｃでは、表示装置１０により、予め決められた一定期間の間においてＴＭＤＳ  Ｃｈａｒａｃｔｏｒ  Ｅｒｒｏｒの数が予め決められたしきい値以上であると判断される。
【００９７】
また、たとえば、ステップＳ１２ｃでは、表示装置１０により、予め決められた一定期間の間においてＨＤＣＰ認証のやり直しがあると判断される。
【００９８】
また、たとえば、ステップＳ１２ｃでは、表示装置１０により、予め決められた一定期間の間において高画質映像の映像信号の受信が途切れていると判断される。
【００９９】
そして、ステップＳ１３ｃにおいて、表示装置１０により、ケーブル３０が第２ケーブル３０ｂではない（第１ケーブル３０ａである）と判断される。
【０１００】
そして、ステップＳ１４ｃにおいて、表示装置１０により、ＣＥＣのベンダーコマンドを用いて、再生装置２０にケーブル３０が第２ケーブル３０ｂではない（第１ケーブル３０ａである）という判断結果が通知される。
【０１０１】
そして、ステップＳ１５ｃにおいて、表示装置１０により、設定が通常画質設定に設定される。ステップＳ１５ｃでは、表示装置１０により、ＥＤＩＤ情報も通常画質設定用に設定される。
【０１０２】
そして、ステップＳ１６およびＳ１７において、ケーブル判断処理の第１の例と同様の処理が行われる。なお、ステップＳ１７では、再生装置２０により、通常画質設定用に設定されたＥＤＩＤ情報が取得される。
【０１０３】
そして、ステップＳ１８ｃにおいて、再生装置２０により、取得されたＥＤＩＤ情報（通常画質設定用に設定されたＥＤＩＤ情報）に基づいて、表示装置１０に高画質映像以外の映像の映像信号（通常画質映像の映像信号）が送信される。
【０１０４】
そして、ステップＳ１９ｃにおいて、表示装置１０により、設定を通常画質設定に設定したこと、および、第１ケーブル３０ａから第２ケーブル３０ｂへのケーブル３０の交換が表示部１５に表示される（図４参照）。
【０１０５】
（第１実施形態の効果）
第１実施形態では、以下のような効果を得ることができる。
【０１０６】
第１実施形態では、上記のように、表示装置１０の制御部１６を、ＨＤＭＩ通信部１２により受信した第２ケーブル３０ｂに対応する映像信号に関するエラーに基づいて、接続部１１に接続されたケーブル３０の種類を判断するように構成する。これにより、再生装置２０と表示装置１０との間でテスト信号を送受信しなくても、接続部１１に接続されたケーブル３０の種類を判断することができる。その結果、制御が複雑化することを抑制しつつ、ケーブル３０の種類を判断することができる。
【０１０７】
また、第１実施形態では、上記のように、表示装置１０によりケーブル３０の種類を判断する場合、エラーを、デコードに関するエラー、認証に関するエラー、および、一定期間の映像信号の受信に関するエラーのうちの少なくとも１つを含むように構成する。これにより、デコードに関するエラー、認証に関するエラー、または、一定期間の映像信号の受信に関するエラーに基づいて、ケーブル３０の種類を容易に判断することができる。
【０１０８】
また、第１実施形態では、上記のように、表示装置１０の制御部１６を、ケーブル３０の種類が第２ケーブル３０ｂであると判断する場合、設定を第２ケーブル３０ｂに対応する設定に設定するように構成する。これにより、接続部１１に接続されたケーブル３０の種類が第２ケーブル３０ｂである場合、設定を第２ケーブル３０ｂに対応する設定に自動で設定することができる。その結果、ユーザが設定を第２ケーブル３０ｂに対応する設定に手動で設定する手間を省きつつ、第２ケーブル３０ｂに対応する映像（高画質映像）を確実に表示することができる。
【０１０９】
また、第１実施形態では、上記のように、表示装置１０の制御部１６を、設定を第２ケーブル３０ｂに対応する設定に設定したことを表示部１５に表示する制御を行うように構成する。これにより、ユーザは、設定が第２ケーブル３０ｂに対応する設定に設定された場合、設定が第２ケーブル３０ｂに対応する設定に設定されたことを知ることができる。その結果、ユーザが設定が第２ケーブル３０ｂに対応する設定に設定されたことを知らないままになることを抑制することができる。
【０１１０】
また、第１実施形態では、上記のように、表示装置１０の制御部１６を、ケーブル３０の種類が第１ケーブル３０ａであると判断する場合、設定を第１ケーブル３０ａに対応する設定に設定するように構成する。これにより、接続部１１に接続されたケーブル３０の種類が第１ケーブル３０ａである場合、設定を第１ケーブル３０ａに対応する設定に自動で設定することができる。その結果、ユーザが設定を第１ケーブル３０ａに対応する設定に手動で設定する手間を省きつつ、第１ケーブル３０ａに対応する映像（通常画質映像）を確実に表示することができる。
【０１１１】
また、第１実施形態では、上記のように、表示装置１０の制御部１６を、設定を第１ケーブル３０ａに対応する設定に設定したことを表示部１５に表示する制御を行うように構成する。これにより、ユーザは、設定が第１ケーブル３０ａに対応する設定に設定された場合、設定が第１ケーブル３０ａに対応する設定に設定されたことを知ることができる。その結果、ユーザが設定が第１ケーブル３０ａに対応する設定に設定されたことを知らないままになることを抑制することができる。
【０１１２】
また、第１実施形態では、上記のように、表示装置１０の制御部１６を、ケーブル３０の種類が第１ケーブル３０ａであると判断する場合、ケーブル３０の交換を表示部１５に表示する制御を行うように構成する。これにより、接続部１１に接続されたケーブル３０の種類が第１ケーブル３０ａである場合、ユーザは、第２ケーブル３０ｂに対応する映像（高画質映像）を表示するために、第１ケーブル３０ａから第２ケーブル３０ｂへのケーブル３０の交換を要することを知ることができる。
【０１１３】
また、第１実施形態では、上記のように、再生装置２０の制御部２５を、ＨＤＭＩ通信部２２により送信した第２ケーブル３０ｂに対応する映像信号に関するエラーに基づいて、接続部２１に接続されたケーブル３０の種類を判断するように構成する。これにより、表示装置１０と同様に、制御が複雑化することを抑制しつつ、ケーブル３０の種類を判断することができる。
【０１１４】
また、第１実施形態では、上記のように、再生装置２０によりケーブル３０の種類を判断する場合、エラーを、デコードに関するエラー、および、認証に関するエラーのうちの少なくとも１つを含むように構成する。これにより、デコードに関するエラー、または、認証に関するエラーに基づいて、ケーブル３０の種類を容易に判断することができる。
【０１１５】
また、第１実施形態では、上記のように、再生装置２０の制御部２５を、ケーブル３０の種類の判断結果を、ＨＤＭＩ通信部２２を介して表示装置１０に通知する制御を行うように構成する。これにより、ケーブル３０の種類の判断結果に基づいて、表示装置１０は、設定を適した設定に設定することができる。その結果、設定が適した設定に設定されていないことに起因して、映像が表示装置１０に適切に表示されないことを抑制することができる。
【０１１６】
また、第１実施形態では、上記のように、再生装置２０の制御部２５を、ケーブル３０の種類が第１ケーブル３０ａであると判断する場合、ケーブル３０の交換を表示装置１０の表示部１５に表示させる制御信号をＨＤＭＩ通信部２２を介して表示装置１０に送信する制御を行うように構成する。これにより、接続部２１に接続されたケーブル３０の種類が第１ケーブル３０ａである場合、ユーザは、第２ケーブル３０ｂに対応する映像（高画質映像）を表示するために、第１ケーブル３０ａから第２ケーブル３０ｂへのケーブル３０の交換を要することを知ることができる。
【０１１７】
［第２実施形態］
次に、図１、および、図９〜図１１を参照して、第２実施形態について説明する。この第２実施形態では、ベンダーコマンドを用いてケーブルの種類を判断するテストを開始した上記第１実施形態と異なり、ベンダーコマンド以外のコマンドを用いてケーブルの種類を判断するテストを開始し、表示装置がケーブルの種類を判断する例について説明する。なお、上記第１実施形態と同一の構成については、図中において同じ符号を付して図示し、その説明を省略する。
【０１１８】
第２実施形態のＡＶシステム２００は、図１に示すように、表示装置１１０と、再生装置１２０とを備える点で、上記第１実施形態のＡＶシステム１００と相違する。表示装置１１０は、制御部１１６を備える点で、上記第１実施形態の表示装置１０と相違する。再生装置１２０は、制御部１２５を備える点で、上記第１実施形態の再生装置２０と相違する。なお、再生装置１２０は、特許請求の範囲の「外部装置」の一例である。また、制御部１１６は、特許請求の範囲の「表示装置制御部」の一例である。また、制御部１２５は、特許請求の範囲の「再生装置制御部」の一例である。
【０１１９】
第２実施形態では、ＡＶシステム２００は、表示装置１１０の電源ＯＦＦ中に、表示装置１１０から再生装置１２０に、ベンダーコマンド以外のＣＥＣのコマンドを送信することにより、ケーブル３０の種類を判断するテストを開始する。表示装置１１０と再生装置１２０とのベンダー（供給業者）が互いに異なる場合、ベンダーコマンドを用いてテストを開始できないためである。
【０１２０】
具体的には、まず、表示装置１１０の制御部１１６は、ＣＥＣのＲｏｕｔｉｎｇ  Ｃｏｎｔｒｏｌを用いて、再生装置１２０を表示装置１１０の入力として指定する制御を行う。表示装置１１０の入力として指定された再生装置１２０の制御部１２５は、自機と表示装置１１０とを接続するケーブル３０を介して、高画質映像の映像信号（ホーム画面などの通常の機能の画面の映像信号）を表示装置１１０に送信する。
【０１２１】
表示装置１１０の制御部１１６は、再生装置１２０から高画質映像の映像信号を受信するとともに、受信した高画質映像の映像信号に関するエラーに基づいて、接続部１１に接続されたケーブル３０の種類を判断する。ケーブル３０の種類の判断方法は、第１実施形態と同様であるため、詳細な説明は省略する。
【０１２２】
また、第２実施形態では、表示装置１１０の制御部１１６は、接続部１１に接続されたケーブル３０の種類だけでなく、再生装置１２０が高画質映像の映像信号に対応しているか否かを判断する。具体的には、表示装置１１０の制御部１１６は、再生装置１２０から送信された映像信号に基づいて、再生装置１２０が高画質映像の映像信号に対応しているか否かを判断する。表示装置１１０の制御部１１６は、再生装置１２０から送信された映像信号が高画質映像の映像信号である場合、再生装置１２０が高画質映像の映像信号に対応していると判断する。また、表示装置１１０の制御部１１６は、再生装置１２０から送信された映像信号が高画質映像以外の映像の映像信号（通常画質映像信号）である場合、再生装置１２０が高画質映像の映像信号に対応していないと判断する。
【０１２３】
また、表示装置１１０の制御部１１６は、再生装置１２０が高画質映像の映像信号に対応していないと判断する場合、設定を通常画質設定に設定する。また、表示装置１１０の制御部１１６は、再生装置１２０が高画質映像の映像信号に対応していないと判断し、かつ、ケーブル３０の種類が第１ケーブル３０ａであると判断する場合、設定を通常画質設定に設定するとともに、第１ケーブル３０ａから第２ケーブル３０ｂへのケーブル３０の交換を表示部１５に表示する制御を行う。また、表示装置１１０の制御部１１６は、再生装置１２０が高画質映像の映像信号に対応していると判断し、かつ、ケーブル３０の種類が第２ケーブル３０ｂであると判断する場合、設定を高画質設定に設定する。
【０１２４】
（ケーブル、装置判断処理の第１の例）
次に、図９を参照して、第２実施形態のＡＶシステム２００によるケーブル、装置判断処理の第１の例をシーケンス図に基づいて説明する。第１の例では、ケーブル３０が第２ケーブル３０ｂであると判断し、再生装置１２０が高画質映像の映像信号に対応していると判断する場合について説明する。なお、表示装置１１０の各処理は、表示装置１１０の制御部１１６により行われる。また、再生装置１２０の各処理は、再生装置１２０の制御部１２５により行われる。
【０１２５】
図９に示すように、まず、ステップＳ１０１において、表示装置１１０により、仮設定としてＥＤＩＤ情報が高画質設定用に設定される。なお、デフォルトでは、ＥＤＩＤ情報は、通常画質設定用に設定されている。
【０１２６】
そして、ステップＳ１０２において、表示装置１１０により、ＣＥＣのＲｏｕｔｉｎｇ  Ｃｏｎｔｒｏｌ機能を用いて、表示装置１１０の入力として再生装置１２０が指定される。
【０１２７】
そして、ステップＳ１０３において、再生装置１２０により、再生装置１２０の電源がＯＮにされる。
【０１２８】
そして、ステップＳ１０４において、表示装置１１０により、ケーブル３０のＨｏｔＰｌｕｇ端子がＨｉｇｈからＬｏｗに変更された後、ＬｏｗからＨｉｇｈに変更される。
【０１２９】
そして、ステップＳ１０５において、表示装置１１０により、再生装置１２０に高画質設定用に設定されたＥＤＩＤ情報が送信される。また、ステップＳ１０５では、再生装置１２０により、高画質設定用に設定されたＥＤＩＤ情報が取得される。
【０１３０】
そして、ステップＳ１０６において、再生装置１２０により、取得されたＥＤＩＤ情報（高画質設定用に設定されたＥＤＩＤ情報）に基づいて、表示装置１１０に高画質映像の映像信号（ホーム画面などの通常の機能の画面の映像信号）が送信される。また、再生装置１２０から送信された映像信号が高画質映像の映像信号であるため、表示装置１１０により、再生装置１２０が高画質映像の映像信号に対応していると判断される。
【０１３１】
そして、ステップＳ１０７において、再生装置１２０により、ＨＤＣＰ認証が開始される。
【０１３２】
そして、ステップＳ１０８において、再生装置１２０により、ＨＤＣＰ認証処理が行われる。
【０１３３】
そして、図９に示すケーブル、装置判断処理の第１の例では、ステップＳ１０９において、表示装置１１０により、高画質映像の映像信号を問題なく伝送することができたと判断される。
【０１３４】
たとえば、ステップＳ１０９では、表示装置１１０により、予め決められた一定期間の間においてＴＭＤＳ  Ｃｈａｒａｃｔｏｒ  Ｅｒｒｏｒの数が予め決められたしきい値未満であると判断される。
【０１３５】
また、たとえば、ステップＳ１０９では、表示装置１１０により、予め決められた一定期間の間においてＨＤＣＰ認証のやり直しがないと判断される。
【０１３６】
また、たとえば、ステップＳ１０９では、表示装置１１０により、予め決められた一定期間の間において継続して途切れることなく高画質映像の映像信号を受信していると判断される。
【０１３７】
そして、ステップＳ１１０において、表示装置１１０により、ケーブル３０が第２ケーブル３０ｂであると判断される。
【０１３８】
そして、ステップＳ１１１において、表示装置１１０により、本設定として設定が高画質設定に設定（維持）される。ステップＳ１１１では、表示装置１１０により、ＥＤＩＤ情報も高画質設定用に設定される。
【０１３９】
そして、ステップＳ１１２において、表示装置１１０により、ＣＥＣのＳｙｓｔｅｍ  Ｓｔａｎｂｙ機能を用いて、再生装置１２０に電源ＯＦＦが要求される。
【０１４０】
そして、ステップＳ１１３において、再生装置１２０により、再生装置１２０の電源がＯＦＦにされる。
【０１４１】
そして、ステップＳ１１４において、表示装置１１０により、ＣＥＣのＲｏｕｔｉｎｇ  Ｃｏｎｔｒｏｌ機能を用いて、表示装置１１０の入力が元に戻される。ステップＳ１１４では、表示装置１１０により、表示装置１１０の入力としての再生装置１２０の指定状態が解除される。
【０１４２】
ステップＳ１０１〜Ｓ１１４までの処理が、表示装置１１０の電源ＯＦＦ中に行われる。その後、所定のタイミングで、コンテンツの視聴を所望するユーザによる表示装置１１０の操作が行われる。
【０１４３】
そして、ステップＳ１１５において、表示装置１１０により、ユーザによる表示装置１１０の電源ＯＮの操作、および、ユーザによる表示装置１１０の入力として再生装置１２０を指定する操作が受け付けされる。
【０１４４】
そして、ステップＳ１１６において、表示装置１１０により、ＣＥＣのＲｏｕｔｉｎｇ  Ｃｏｎｔｒｏｌ機能を用いて、表示装置１１０の入力として再生装置１２０が指定される。
【０１４５】
そして、ステップＳ１１７において、再生装置１２０により、再生装置１２０の電源がＯＮにされる。
【０１４６】
そして、ステップＳ１１８において、表示装置１１０により、ケーブル３０のＨｏｔＰｌｕｇ端子がＨｉｇｈからＬｏｗに変更された後、ＬｏｗからＨｉｇｈに変更される。
【０１４７】
そして、ステップＳ１１９において、表示装置１１０により、再生装置１２０に高画質設定用に設定されたＥＤＩＤ情報が送信される。また、ステップＳ１１９では、再生装置１２０により、高画質設定用に設定されたＥＤＩＤ情報が取得される。
【０１４８】
そして、ステップＳ１２０において、再生装置１２０により、取得されたＥＤＩＤ情報（高画質設定用に設定されたＥＤＩＤ情報）に基づいて、表示装置１１０に高画質映像の映像信号が送信される。
【０１４９】
そして、ステップＳ１２１において、表示装置１１０により、再生装置１２０から送信された映像信号に対応する高画質映像が表示部１５に表示される。
【０１５０】
（ケーブル、装置判断処理の第２の例）
次に、図１０を参照して、第２実施形態のＡＶシステム２００によるケーブル、装置判断処理の第２の例をシーケンス図に基づいて説明する。第２の例では、再生装置１２０が高画質映像の映像信号に対応していないと判断する場合について説明する。なお、ケーブル、装置判断処理の第１の例と同様の処理については、図中において同じ符号を付して図示し、詳細な説明を省略する。また、表示装置１１０の各処理は、表示装置１１０の制御部１１６により行われる。また、再生装置１２０の各処理は、再生装置１２０の制御部１２５により行われる。
【０１５１】
図１０に示すように、まず、ステップＳ１０１〜Ｓ１０５において、ケーブル、装置判断処理の第１の例と同様の処理が行われる。なお、ステップＳ１０５では、再生装置１２０により、高画質設定用に設定されたＥＤＩＤ情報が取得される。
【０１５２】
そして、ステップＳ１０６ａでは、取得されたＥＤＩＤ情報が高画質設定用に設定されたＥＤＩＤ情報であるにもかかわらず、再生装置１２０により、表示装置１１０に通常画質映像の映像信号（ホーム画面などの通常の機能の画面の映像信号）が送信される。再生装置１２０が高画質映像の映像信号に対応していないためである。
【０１５３】
そして、ステップＳ１０７およびＳ１０８において、ケーブル、装置判断処理の第１の例と同様の処理が行われる。
【０１５４】
そして、ステップＳ１１０ａにおいて、表示装置１１０により、再生装置１２０が高画質映像の映像信号に対応していないと判断される。再生装置１２０から送信された映像信号が通常画質映像の映像信号であるためである。
【０１５５】
そして、ステップＳ１１１ａにおいて、表示装置１１０により、本設定として設定が通常画質設定に設定される。ステップＳ１１１ａでは、表示装置１１０により、ＥＤＩＤ情報も通常画質設定用に設定される。
【０１５６】
そして、ステップＳ１１２〜Ｓ１１９において、ケーブル、装置判断処理の第１の例と同様の処理が行われる。なお、ステップＳ１１９では、再生装置１２０により、通常画質設定用に設定されたＥＤＩＤ情報が取得される。
【０１５７】
そして、ステップＳ１２０ａにおいて、再生装置１２０により、取得されたＥＤＩＤ情報（通常画質設定用に設定されたＥＤＩＤ情報）に基づいて、表示装置１１０に高画質映像以外の映像の映像信号（通常画質映像の映像信号）が送信される。
【０１５８】
そして、ステップＳ１２１ａにおいて、表示装置１１０により、再生装置１２０から送信された映像信号に対応する高画質映像以外の映像（通常画質映像）が表示部１５に表示される。
【０１５９】
（ケーブル、装置判断処理の第３の例）
次に、図１１を参照して、第２実施形態のＡＶシステム２００によるケーブル、装置判断処理の第３の例をシーケンス図に基づいて説明する。第３の例では、再生装置１２０が高画質映像の映像信号に対応していると判断し、かつ、ケーブル３０が第２ケーブル３０ｂではない（第１ケーブル３０ａである）と判断する場合について説明する。なお、ケーブル、装置判断処理の第１の例と同様の処理については、図中において同じ符号を付して図示し、詳細な説明を省略する。また、表示装置１１０の各処理は、表示装置１１０の制御部１１６により行われる。また、再生装置１２０の各処理は、再生装置１２０の制御部１２５により行われる。
【０１６０】
図１１に示すように、まず、ステップＳ１０１〜Ｓ１０８において、ケーブル、装置判断処理の第１の例と同様の処理が行われる。
【０１６１】
そして、図１１に示すケーブル、装置判断処理の第３の例では、ステップＳ１０９ｂにおいて、表示装置１１０により、高画質映像の映像信号を問題なく伝送することができなかったと判断される。
【０１６２】
たとえば、ステップＳ１０９ｂでは、表示装置１１０により、予め決められた一定期間の間においてＴＭＤＳ  Ｃｈａｒａｃｔｏｒ  Ｅｒｒｏｒの数が予め決められたしきい値以上であると判断される。
【０１６３】
また、たとえば、ステップＳ１０９ｂでは、表示装置１１０により、予め決められた一定期間の間においてＨＤＣＰ認証のやり直しがあると判断される。
【０１６４】
また、たとえば、ステップＳ１０９ｂでは、表示装置１１０により、予め決められた一定期間の間において高画質映像の映像信号の受信が途切れていると判断される。
【０１６５】
そして、ステップＳ１１０ｂにおいて、表示装置１１０により、ケーブル３０が第２ケーブル３０ｂではない（第１ケーブル３０ａである）と判断される。
【０１６６】
そして、ステップＳ１１１ｂにおいて、表示装置１１０により、本設定として設定が通常画質設定に設定される。ステップＳ１１１ｂでは、表示装置１１０により、ＥＤＩＤ情報も通常画質設定用に設定される。
【０１６７】
そして、ステップＳ１１２〜Ｓ１１９において、ケーブル、装置判断処理の第１の例と同様の処理が行われる。
【０１６８】
そして、ステップＳ１２０ｂにおいて、再生装置１２０により、取得されたＥＤＩＤ情報（通常画質設定用に設定されたＥＤＩＤ情報）に基づいて、表示装置１１０に高画質映像以外の映像の映像信号（通常画質映像の映像信号）が送信される。
【０１６９】
そして、ステップＳ１２１ｂにおいて、表示装置１１０により、再生装置１２０から送信された映像信号に対応する高画質映像以外の映像（通常画質映像）、および、第１ケーブル３０ａから第２ケーブル３０ｂへのケーブル３０の交換（図４参照）が表示部１５に表示される。なお、図４では、設定を通常画質設定にしたことも表示しているが、ステップＳ１２１ｂでは、設定を通常画質設定にしたことは表示しなくてもよい。
【０１７０】
第２実施形態のその他の構成は、上記第１実施形態と同様である。
【０１７１】
（第２実施形態の効果）
第２実施形態では、以下のような効果を得ることができる。
【０１７２】
第２実施形態では、上記のように、表示装置１１０の制御部１１６を、再生装置１２０から送信された映像信号に基づいて、再生装置１２０が第２ケーブル３０ｂに対応する映像信号に対応しているか否かを判断するように構成する。これにより、再生装置１２０が第２ケーブル３０ｂに対応する映像信号に対応しているか否かの判断結果に基づいて、設定を適した設定に設定することができる。その結果、設定が適した設定に設定されていないことに起因して、映像が適切に表示されないことを抑制することができる。
【０１７３】
また、第２実施形態では、上記のように、表示装置１１０の制御部１１６を、再生装置１２０が第２ケーブル３０ｂに対応する映像信号に対応していないと判断する場合、設定を第１ケーブル３０ａに対応する設定に設定するように構成する。これにより、再生装置１２０が第２ケーブル３０ｂに対応する映像信号に対応していない場合、設定を第１ケーブル３０ａに対応する設定に自動で設定することができる。その結果、ユーザが設定を第１ケーブル３０ａに対応する設定に手動で設定する手間を省きつつ、第１ケーブル３０ａに対応する映像（通常画質映像）を確実に表示することができる。
【０１７４】
また、第２実施形態では、上記のように、表示装置１１０の制御部１１６を、再生装置１２０が第２ケーブル３０ｂに対応する映像信号に対応していると判断し、かつ、ケーブル３０の種類が第２ケーブル３０ｂであると判断する場合、設定を第２ケーブル３０ｂに対応する設定に設定するように構成する。これにより、再生装置１２０が第２ケーブル３０ｂに対応する映像信号に対応し、かつ、ケーブル３０の種類が第２ケーブル３０ｂである場合、設定を第２ケーブル３０ｂに対応する設定に自動で設定することができる。その結果、ユーザが設定を第２ケーブル３０ｂに対応する設定に手動で設定する手間を省きつつ、第２ケーブル３０ｂに対応する映像（高画質映像）を確実に表示することができる。
【０１７５】
なお、第２実施形態のその他の効果は、上記第１実施形態と同様である。
【０１７６】
［第３実施形態］
次に、図１、および、図１２〜図１７を参照して、第３実施形態について説明する。この第３実施形態では、ベンダーコマンドを用いてケーブルの種類を判断するテストを開始した上記第１実施形態と異なり、ベンダーコマンド以外のコマンドを用いてケーブルの種類を判断するテストを開始し、再生装置がケーブルの種類を判断する例について説明する。なお、上記第１実施形態と同一の構成については、図中において同じ符号を付して図示し、その説明を省略する。
【０１７７】
第３実施形態のＡＶシステム３００は、図１に示すように、表示装置２１０と、再生装置２２０とを備える点で、上記第１実施形態のＡＶシステム１００と相違する。表示装置２１０は、制御部２１６を備える点で、上記第１実施形態の表示装置１０と相違する。再生装置２２０は、制御部２２５を備える点で、上記第１実施形態の再生装置２０と相違する。なお、再生装置２２０は、特許請求の範囲の「外部装置」の一例である。また、制御部２１６は、特許請求の範囲の「表示装置制御部」の一例である。また、制御部２２５は、特許請求の範囲の「再生装置制御部」の一例である。
【０１７８】
第３実施形態では、ＡＶシステム３００は、表示装置２１０の電源ＯＦＦ中に、再生装置２２０から表示装置２１０に、ベンダーコマンド以外のＣＥＣのコマンドを送信することにより、ケーブル３０の種類を判断するテストを開始する。表示装置２１０と再生装置２２０とのベンダー（供給業者）が互いに異なる場合、ベンダーコマンドを用いてテストを開始できないためである。
【０１７９】
具体的には、まず、再生装置２２０の制御部２２５は、ＣＥＣのＧｉｖｅ  Ｄｅｖｉｃｅ  Ｐｏｗｅｒ  Ｓｔａｔｕｓを用いて、表示装置２１０に電源状態を問い合わせる制御を行う。電源状態を問い合わせされた表示装置２１０の制御部２１６は、電源がＯＦＦであることを再生装置２２０に通知する制御を行う。電源がＯＦＦであることを通知された再生装置２２０の制御部２２５は、ＣＥＣのＯｎｅ  Ｔｏｕｃｈ  Ｐｌａｙを用いて、表示装置２１０の電源ＯＮと、再生装置２２０への入力の変更とを表示装置２１０に要求する制御を行う。そして、表示装置２１０の入力として指定された再生装置２２０の制御部２２５は、自機と表示装置２１０とを接続するケーブル３０を介して、高画質映像の映像信号（テスト信号）を表示装置２１０に送信する。テスト信号は、たとえば、黒画面の映像信号である。
【０１８０】
再生装置２２０の制御部２２５は、表示装置２１０に高画質映像の映像信号（テスト信号）を送信するとともに、送信した高画質映像の映像信号に関するエラーに基づいて、接続部２１に接続されたケーブル３０の種類を判断する。ケーブル３０の種類の判断方法は、第１実施形態と同様であるため、詳細な説明は省略する。
【０１８１】
また、第３実施形態では、再生装置２２０の制御部２２５は、接続部２１に接続されたケーブル３０の種類だけでなく、表示装置２１０が高画質映像の映像信号に対応しているか否かを判断する。具体的には、再生装置２２０の制御部２２５は、送信する映像が第１ケーブル３０ａに対応する伝送速度（たとえば、１０．２Ｇｂｐｓ）を越える映像であることの表示装置２１０のＳＣＤＣ情報への書き込みの成否に基づいて、表示装置２１０が高画質映像の映像信号に対応しているか否かを判断する。再生装置２２０の制御部２２５は、ＳＣＤＣ情報への書き込みが成功したと判断する場合、表示装置２１０が高画質映像の映像信号に対応していると判断する。表示装置２１０が高画質映像の映像信号に対応していれば、送信する映像が第１ケーブル３０ａに対応する伝送速度を越える映像であることのＳＣＤＣ情報への書き込みができるためである。また、再生装置２２０の制御部２２５は、ＳＣＤＣ情報への書き込みが失敗したと判断する場合、表示装置２１０が高画質映像の映像信号に対応していないと判断する。表示装置２１０が高画質映像の映像信号に対応していなければ、送信する映像が第１ケーブル３０ａに対応する伝送速度を越える映像であることのＳＣＤＣ情報への書き込みができないためである。
【０１８２】
また、図１２に示すように、再生装置２２０の制御部２２５は、表示装置２１０が高画質映像の映像信号に対応していると判断し、かつ、ケーブル３０の種類が第２ケーブル３０ｂであると判断する場合、通常画質設定から高画質設定への設定の変更を表示装置２１０の表示部１５に表示させる制御信号をＨＤＭＩ通信部２２を介して表示装置２１０に送信する制御を行う。また、図１３に示すように、再生装置２２０の制御部２２５は、表示装置２１０が高画質映像の映像信号に対応していると判断し、かつ、ケーブル３０の種類が第２ケーブル３０ｂではない（第１ケーブル３０ａである）と判断する場合、第１ケーブル３０ａから第２ケーブル３０ｂへのケーブル３０の交換を表示装置２１０の表示部１５に表示させる制御信号をＨＤＭＩ通信部２２を介して表示装置２１０に送信する制御を行う。この際、再生装置２２０の制御部２２５は、ケーブル３０の交換後の通常画質設定から高画質設定への設定の変更を表示装置２１０の表示部１５に表示させる制御信号をＨＤＭＩ通信部２２を介して表示装置２１０に送信する制御を行う。また、図１４に示すように、再生装置２２０の制御部２２５は、表示装置２１０が高画質映像の映像信号に対応していないと判断する場合、現在の表示装置２１０から高画質映像の映像信号に対応する表示装置への表示装置２１０の変更を表示装置２１０の表示部１５に表示させる制御信号をＨＤＭＩ通信部２２を介して表示装置２１０に送信する制御を行う。
【０１８３】
（ケーブル、装置判断処理の第１の例）
次に、図１５を参照して、第３実施形態のＡＶシステム３００によるケーブル、装置判断処理の第１の例をシーケンス図に基づいて説明する。第１の例では、ケーブル３０が第２ケーブル３０ｂであると判断し、表示装置２１０が高画質映像の映像信号に対応していると判断する場合について説明する。なお、表示装置２１０の各処理は、表示装置２１０の制御部２１６により行われる。また、再生装置２２０の各処理は、再生装置２２０の制御部２２５により行われる。
【０１８４】
図１５に示すように、まず、ステップＳ２０１において、再生装置２２０により、ＣＥＣのＧｉｖｅ  Ｄｅｖｉｃｅ  Ｐｏｗｅｒ  Ｓｔａｔｕｓ機能を用いて、表示装置２１０に表示装置２１０の電源状態が問い合わせされる。
【０１８５】
そして、ステップＳ２０２において、表示装置２１０により、ＣＥＣのＧｉｖｅ  Ｄｅｖｉｃｅ  Ｐｏｗｅｒ  Ｓｔａｔｕｓ機能を用いて、再生装置２２０に表示装置２１０の電源がＯＦＦであることが通知される。
【０１８６】
そして、ステップＳ２０３において、再生装置２２０により、ＣＥＣのＯｎｅ  Ｔｏｕｃｈ  Ｐｌａｙ機能を用いて、表示装置２１０に、表示装置２１０の電源のＯＮと再生装置２２０への表示装置２１０の入力の変更とが要求される。
【０１８７】
そして、ステップＳ２０４において、表示装置２１０により、表示装置２１０の電源がＯＮされる。
【０１８８】
そして、ステップＳ２０５において、表示装置２１０により、ケーブル３０のＨｏｔＰｌｕｇ端子がＨｉｇｈからＬｏｗに変更された後、ＬｏｗからＨｉｇｈに変更される。
【０１８９】
そして、ステップＳ２０６において、表示装置２１０により、再生装置２２０にＥＤＩＤ情報が送信される。また、ステップＳ２０６では、再生装置２２０により、ＥＤＩＤ情報が取得される。
【０１９０】
そして、ステップＳ２０７において、再生装置２２０により、表示装置２１０のＳＣＤＣ情報への書き込みが行われる。ステップＳ２０７では、第１ケーブル３０ａに対応する伝送速度（１０．２Ｇｂｐｓ）を越える映像であることが、ＳＣＤＣ情報に書き込みされる。また、ＳＣＤＣ情報への書き込みが成功したため、再生装置２２０により、表示装置２１０が高画質映像の映像信号に対応していると判断される。
【０１９１】
そして、ステップＳ２０８において、再生装置２２０により、表示装置２１０に高画質映像の映像信号（テスト信号）が送信される。
【０１９２】
そして、ステップＳ２０９において、再生装置２２０により、ＨＤＣＰ認証が開始される。
【０１９３】
そして、ステップＳ２１０において、再生装置２２０により、ＨＤＣＰ認証処理が行われる。
【０１９４】
そして、図１５に示すケーブル、装置判断処理の第１の例では、ステップＳ２１１において、再生装置２２０により、高画質映像の映像信号を問題なく伝送することができたと判断される。
【０１９５】
たとえば、ステップＳ２１１では、再生装置２２０により、予め決められた一定期間の間において、ＴＭＤＳデコードに成功し、かつ、ＴＭＤＳ  Ｃｈａｒａｃｔｏｒ  Ｅｒｒｏｒの数が予め決められたしきい値未満であると判断される。
【０１９６】
また、たとえば、ステップＳ２１１では、再生装置２２０により、予め決められた一定期間の間においてＨＤＣＰ認証が成功していると判断される。
【０１９７】
そして、ステップＳ２１２において、再生装置２２０により、ケーブル３０が第２ケーブル３０ｂであると判断される。
【０１９８】
そして、ステップＳ２１３において、再生装置２２０により、ＣＥＣのＳｙｓｔｅｍ  Ｓｔａｎｂｙ機能を用いて、表示装置２１０に電源ＯＦＦが要求される。
【０１９９】
そして、ステップＳ２１４において、表示装置２１０により、表示装置２１０の電源がＯＦＦされる。
【０２００】
ステップＳ２０１〜Ｓ２１４までの処理が、表示装置２１０の電源ＯＦＦ中に行われる。その後、所定のタイミングで、コンテンツの視聴を所望するユーザによる表示装置２１０の操作が行われる。
【０２０１】
そして、ステップＳ２１５において、表示装置２１０により、ユーザによる表示装置２１０の電源ＯＮの操作、および、ユーザによる表示装置２１０の入力として再生装置２２０を指定する操作が受け付けされる。
【０２０２】
そして、ステップＳ２１６において、表示装置２１０により、ＣＥＣのＲｏｕｔｉｎｇ  Ｃｏｎｔｒｏｌ機能を用いて、表示装置２１０の入力として再生装置２２０が指定される。
【０２０３】
そして、ステップＳ２１７において、再生装置２２０により、再生装置２２０の電源がＯＮにされる。
【０２０４】
そして、ステップＳ２１８において、表示装置２１０により、ケーブル３０のＨｏｔＰｌｕｇ端子がＨｉｇｈからＬｏｗに変更された後、ＬｏｗからＨｉｇｈに変更される。
【０２０５】
そして、ステップＳ２１９において、表示装置２１０により、再生装置２２０にＥＤＩＤ情報が送信される。また、ステップＳ２１９では、再生装置２２０により、ＥＤＩＤ情報が取得される。
【０２０６】
そして、ステップＳ２２０において、再生装置２２０により、表示装置２１０に高画質映像以外の映像の映像信号（通常画質映像の映像信号）が送信される。高画質映像以外の映像の映像信号には、通常画質設定から高画質設定への設定の変更を表示部１５に表示させるための情報が付加されている。
【０２０７】
そして、ステップＳ２２１において、表示装置２１０により、再生装置２２０から送信された映像信号に対応する高画質映像以外の映像（通常画質映像）、および、通常画質設定から高画質設定への設定の変更（図１２参照）が表示部１５に表示される。
【０２０８】
（ケーブル、装置判断処理の第２の例）
次に、図１６を参照して、第３実施形態のＡＶシステム３００によるケーブル、装置判断処理の第２の例をシーケンス図に基づいて説明する。第２の例では、表示装置２１０が高画質映像の映像信号に対応していると判断し、かつ、ケーブル３０が第２ケーブル３０ｂではない（第１ケーブル３０ａである）と判断する場合について説明する。なお、ケーブル、装置判断処理の第１の例と同様の処理については、図中において同じ符号を付して図示し、詳細な説明を省略する。また、表示装置２１０の各処理は、表示装置２１０の制御部２１６により行われる。また、再生装置２２０の各処理は、再生装置２２０の制御部２２５により行われる。
【０２０９】
図１６に示すように、まず、ステップＳ２０１〜Ｓ２１０において、ケーブル、装置判断処理の第１の例と同様の処理が行われる。
【０２１０】
そして、図１６に示すケーブル、装置判断処理の第２の例では、ステップＳ２１１ａにおいて、再生装置２２０により、高画質映像の映像信号を問題なく伝送することができなかったと判断される。
【０２１１】
たとえば、ステップＳ２１１ａでは、再生装置２２０により、予め決められた一定期間の間において、ＴＭＤＳデコードに失敗した、または、ＴＭＤＳ  Ｃｈａｒａｃｔｏｒ  Ｅｒｒｏｒの数が予め決められたしきい値以上であると判断される。
【０２１２】
また、たとえば、ステップＳ２１１ａでは、再生装置２２０により、予め決められた一定期間の間においてＨＤＣＰ認証が失敗していると判断される。
【０２１３】
そして、ステップＳ２１２ａにおいて、再生装置２２０により、ケーブル３０が第２ケーブル３０ｂではない（第１ケーブル３０ａである）と判断される。
【０２１４】
そして、ステップＳ２１３〜Ｓ２２０において、ケーブル、装置判断処理の第１の例と同様の処理が行われる。なお、ステップＳ２２０では、高画質映像以外の映像の映像信号に、通常画質設定から高画質設定への設定の変更を表示部１５に表示させるための情報ではなく、第１ケーブル３０ａから第２ケーブル３０ｂへのケーブル３０の交換を表示させるための情報が付加されている。
【０２１５】
そして、ステップＳ２２１ａにおいて、表示装置２１０により、再生装置２２０から送信された映像信号に対応する高画質映像以外の映像（通常画質映像）、および、第１ケーブル３０ａから第２ケーブル３０ｂへのケーブル３０の交換（図１３参照）が表示部１５に表示される。
【０２１６】
（ケーブル、装置判断処理の第３の例）
次に、図１７を参照して、第３実施形態のＡＶシステム３００によるケーブル、装置判断処理の第３の例をシーケンス図に基づいて説明する。第３の例では、表示装置２１０が高画質映像の映像信号に対応していないと判断する場合について説明する。なお、ケーブル、装置判断処理の第１の例と同様の処理については、図中において同じ符号を付して図示し、詳細な説明を省略する。また、表示装置２１０の各処理は、表示装置２１０の制御部２１６により行われる。また、再生装置２２０の各処理は、再生装置２２０の制御部２２５により行われる。
【０２１７】
図１７に示すように、まず、ステップＳ２０１〜Ｓ２０７において、ケーブル、装置判断処理の第１の例と同様の処理が行われる。
【０２１８】
そして、ステップＳ２１１ｂにおいて、再生装置２２０により、ＳＣＤＣ情報への書き込みが失敗したと判断される。
【０２１９】
そして、ステップＳ２１２ｂにおいて、再生装置２２０により、表示装置２１０が高画質映像の映像信号に対応していないと判断される。
【０２２０】
そして、ステップＳ２１３〜Ｓ２２０において、ケーブル、装置判断処理の第１の例と同様の処理が行われる。なお、ステップＳ２２０では、高画質映像以外の映像の映像信号に、通常画質設定から高画質設定への設定の変更を表示部１５に表示させるための情報ではなく、現在の表示装置２１０から高画質映像の映像信号に対応する表示装置への表示装置２１０の変更を表示させるための情報が付加されている。
【０２２１】
そして、ステップＳ２２１ａにおいて、表示装置２１０により、再生装置２２０から送信された映像信号に対応する高画質映像以外の映像（通常画質映像）、および、現在の表示装置２１０から高画質映像の映像信号に対応する表示装置への表示装置２１０の変更（図１４参照）が表示部１５に表示される。
【０２２２】
第３実施形態のその他の構成は、上記第１実施形態と同様である。
【０２２３】
（第３実施形態の効果）
第３実施形態では、以下のような効果を得ることができる。
【０２２４】
第３実施形態では、上記のように、再生装置２２０の制御部２２５を、ケーブル３０の種類が第２ケーブル３０ｂであると判断する場合、設定の変更を表示装置２１０の表示部１５に表示させる制御信号をＨＤＭＩ通信部２２を介して表示装置２１０に送信する制御を行うように構成する。これにより、接続部２１に接続されたケーブル３０の種類が第２ケーブル３０ｂである場合、ユーザは、第２ケーブル３０ｂに対応する映像（高画質映像）を表示するために、設定の変更を要することを知ることができる。
【０２２５】
また、第３実施形態では、上記のように、再生装置２２０の制御部２２５を、表示装置２１０のＳＣＤＣ情報への書き込みの成否に基づいて、表示装置２１０が第２ケーブル３０ｂに対応する映像信号に対応しているか否かを判断するように構成する。これにより、表示装置２１０が第２ケーブル３０ｂに対応する映像信号に対応しているか否かの判断結果に基づいて、設定を適した設定に設定することができる。その結果、設定が適した設定に設定されていないことに起因して、映像が適切に表示されないことを抑制することができる。
【０２２６】
また、第３実施形態では、上記のように、再生装置２２０の制御部２２５を、表示装置２１０が第２ケーブル３０ｂに対応する映像信号に対応していると判断し、かつ、ケーブル３０の種類が第２ケーブル３０ｂであると判断する場合、設定の変更を表示装置２１０の表示部１５に表示させる制御信号をＨＤＭＩ通信部２２を介して表示装置２１０に送信する制御を行うように構成する。これにより、表示装置２１０が第２ケーブル３０ｂに対応する映像信号に対応し、かつ、接続部２１に接続されたケーブル３０の種類が第２ケーブル３０ｂである場合、ユーザは、第２ケーブル３０ｂに対応する映像（高画質映像）を表示するために、設定の変更を要することを知ることができる。
【０２２７】
なお、第３実施形態のその他の効果は、上記第１実施形態と同様である。
【０２２８】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０２２９】
たとえば、上記第１〜第３実施形態では、外部装置を、再生装置により構成する例を示したが、本発明はこれに限られない。本発明では、表示装置にコンテンツを送信可能な装置であれば、外部装置を、再生装置以外により構成してもよい。たとえば、外部装置を、放送信号としてのコンテンツを受信して送信可能なＳＴＢ（Ｓｅｔ  Ｔｏｐ  Ｂｏｘ）により構成してもよい。
【０２３０】
また、上記第１〜第３実施形態では、ケーブルを、ＨＤＭＩケーブルにより構成する例を示したが、本発明はこれに限られない。本発明では、第１伝送帯域幅を有する第１ケーブル、または、前記第１伝送帯域幅よりも大きい第２伝送帯域幅を有する第２ケーブルを含むケーブルであれば、ケーブルを、ＨＤＭＩケーブル以外により構成してもよい。
【０２３１】
また、上記第１および第２実施形態では、表示装置によりケーブルの種類を判断する場合、エラーを、デコードに関するエラー、認証に関するエラー、および、一定期間の受信に関するエラーのうちの少なくとも１つを含むように構成する例を示したが、本発明はこれに限られない。本発明では、表示装置によりケーブルの種類を判断する場合、エラーを、デコードに関するエラー、認証に関するエラー、および、一定期間の受信に関するエラー以外を含むように構成してもよい。
【０２３２】
また、上記第１および第３実施形態では、再生装置によりケーブルの種類を判断する場合、エラーを、デコードに関するエラー、および、認証に関するエラーのうちの少なくとも１つを含むように構成する例を示したが、本発明はこれに限られない。本発明では、再生装置によりケーブルの種類を判断する場合、エラーを、デコードに関するエラー、および、認証に関するエラー以外を含むように構成してもよい。
【０２３３】
また、上記第１および第２実施形態では、表示装置の制御部を、ケーブルの種類が第２ケーブルであると判断する場合、設定を第２ケーブルに対応する設定に設定するように構成する例を示したが、本発明はこれに限られない。たとえば、表示装置の制御部を、ケーブルの種類が第２ケーブルであると判断する場合、設定の変更を表示部に表示するように構成してもよい。
【符号の説明】
【０２３４】
１０、１１０、２１０  表示装置
１１  （表示装置の）接続部
１２  ＨＤＭＩ通信部（表示装置の通信部）
１５  表示部
１６、１１６、２１６  表示装置制御部
２０、１２０、２２０  再生装置（外部装置）
２１  （再生装置の）接続部
２２  ＨＤＭＩ通信部（再生装置の通信部）
２５、１２５、２２５  再生装置制御部
３０  ケーブル
３０ａ  第１ケーブル
３０ｂ  第２ケーブル
【図１】
2019169758.tif 000003
【図２】
2019169758.tif 000004
【図３】
2019169758.tif 000005
【図４】
2019169758.tif 000006
【図５】
2019169758.tif 000007
【図６】
2019169758.tif 000008
【図７】
2019169758.tif 000009
【図８】
2019169758.tif 000010
【図９】
2019169758.tif 000011
【図１０】
2019169758.tif 000012
【図１１】
2019169758.tif 000013
【図１２】
2019169758.tif 000014
【図１３】
2019169758.tif 000015
【図１４】
2019169758.tif 000016
【図１５】
2019169758.tif 000017
【図１６】
2019169758.tif 000018
【図１７】
2019169758.tif 000019